(57)【要約】【課題】連続的に送信を行い続けるＵＭＴＳ等においても動的にＤＣオフセットの補正を行える送信器を提供する。【解決手段】送信器中に直交変調器を２以上配置し、送信スロット毎に直交変調器を切り替えて送信を行う。連続した２以上の送信スロットで特定の直交変調器が用いられることは無いため、特定の直交変調器が送信を担当しない期間中にＤＣオフセットキャリブレーション対象となり、ＤＣオフセット制御回路１２９がＤＣオフセットキャリブレーション対象に対してＤＣオフセットのキャリブレーションを実行する。【選択図】図５
2010103791.tif 000002
【特許請求の範囲】
【請求項１】
それぞれ利得が異なる２以上の直交変調器と、前記２以上の直交変調器から送信に使用する１の直交変調器を選択する制御部とを有し、データ送信中に複数の送信スロットからなる送信フレームを連続的に送信する送信器であって、
前記制御部は前記２以上の直交変調器を前記送信スロット単位で切り替えて送信に使用することを特徴とする送信器。
【請求項２】
請求項１に記載の送信器において、前記２以上の直交変調器の利得がデシベルを基準として等間隔に分布することを特徴とする送信器。
【請求項３】
請求項２に記載の送信器において、該送信器は更に２以上の可変増幅器を有し、
前記２以上の可変増幅器はそれぞれ前記２以上の直交変調器の利得の分布間隔の２倍の可変幅を有し、
前記制御部は前記送信スロット単位で前記２以上の可変増幅器を切り替え、前記２以上の可変増幅器の設定を更新することを特徴とする送信器。
【請求項４】
請求項３に記載の送信器において、更にＤＣオフセット制御回路を有し、
前記制御部はデータ送信に使用していない直交変調器のうち１をＤＣオフセットキャリブレーション対象に選択し、ダミーデータを該ＤＣオフセットキャリブレーション対象に入力し、該ＤＣオフセットキャリブレーション対象の出力が前記ＤＣオフセット制御回路に入力され、
前記ＤＣオフセット制御回路が前記ＤＣオフセットキャリブレーション対象のキャリブレーションを行うことを特徴とする送信器。
【請求項５】
請求項４に記載の送信器において、前記送信スロット単位で直交変調器を切り替える際、直前に終了した前記送信スロットの前記ＤＣオフセットキャリブレーション対象を前記制御部が送信用に選択することを特徴とする送信器。
【請求項６】
請求項４または５に記載の送信器において、前記ＤＣオフセットキャリブレーション対象の選択、前記可変増幅器の設定を次の送信スロットの送信利得に基づき決定することを特徴とする送信器。
【請求項７】
それぞれ可変可能な利得が異なる２以上の可変直交変調器と、前記２以上の可変直交変調器から使用する１の可変直交変調器を選択する制御部とを有し、データ送信中に複数の送信スロットからなる送信フレームを連続して送信する送信器であって、
前記制御部は前記２以上の可変直交変調器を前記送信スロット単位で切り替えて送信に使用することを特徴とする送信器。
【請求項８】
請求項７に記載の送信器において、前記送信スロットの送信利得に基づき前記制御部は前記２以上の可変直交変調器から使用する１の可変直交変調器を選択することを特徴とする送信器。
【請求項９】
請求項１ないし８のいずれかの送信器を用いることを特徴とする携帯情報端末。
【発明の詳細な説明】
【技術分野】
【０００１】
本発明は、ＵＭＴＳの送信器、特に連続送信時の直交変調器のキャリアリーク補正に関する。
【背景技術】
【０００２】
ＵＭＴＳ（Ｕｎｉｖｅｒｓａｌ  Ｍｏｂｉｌｅ  Ｔｅｌｅｃｏｍｕｎｉｃａｔｉｏｎｓ  Ｓｙｓｔｅｍ）送信系においては、ダイレクトアップ・コンバージョンを採用している。したがって、ＵＭＴＳ送信系の実装に際しては、高いキャリアリーク抑圧（−４０ｄＢｃ）が求められる。
【０００３】
キャリアリークの発生原因としてはＩ信号とＱ信号のＤＣオフセットが考えられる。したがって、可能な限り、送信器の変調回路内でＩ信号とＱ信号の調整を行い続けることが望ましい。
【０００４】
特開２００６−４１６３１号公報（特許文献１）には、Ｉ信号及びＱ信号が無信号の状態かつキャリア周波数が一定の状態で補正値に応じたテストパターンを制御部が加え、Ｉ信号及びＱ信号合成後の出力を制御部が検出することで、ＤＣオフセットの補正を行うことが記載されている。
【特許文献１】特開２００６−４１６３１号公報
【発明の開示】
【発明が解決しようとする課題】
【０００５】
しかし、ＴＤＭＡ（Ｔｉｍｅ  Ｄｉｖｉｓｉｏｎ  Ｍｕｌｔｉｐｌｅ  Ａｃｃｅｓｓ）方式と異なり、ＵＭＴＳが採用するＣＤＭＡ（Ｃｏｄｅ  Ｄｉｖｉｓｉｏｎ  Ｍｕｌｔｉｐｌｅ  Ａｃｃｅｓｓ）方式では、一度データの送信が開始されるとその終了まで送信器の休止期間が無い。このため、一度送信状態になると、スロット（１フレーム（１０ｍｓｅｃ）内に１５スロット存在）毎の利得（ゲイン）の変更はできるが、キャリアリークの補正（キャリブレーション）の時間を確保することができないという問題があった。
【０００６】
特許文献1記載の技術でも同様で、「Ｉ信号及びＱ信号が無信号の状態」という前提が存在し、通話（送信）中に送信器の休止期間のないＵＭＴＳ送信系への適用は実質困難である。
【０００７】
また、直交変調器の出力後段の可変利得低雑音増幅回路によりゲイン可変を行う場合、キャリアリークは直交変調器出力端で決定される。したがって、可変利得低雑音増幅回路のゲイン可変を行う場合キャリアリークと希望送信信号との比は保持され続ける。一方で長期間通話時などの温度変動及び電源電圧変動が伴う場合、キャリアリークの実状を正しく反映できなくなりキャリアリークの劣化が生じる可能性もある。
【０００８】
更に発明者は、ＣＭＯＳにより直交変調器及びＲＦゲイン可変回路を構成する場合、ゲインの異なる２以上の直交変調器を切り替えて使う方が好ましい場合もあると考える。
【０００９】
本発明の目的は、連続的に送信を行い続けるＵＭＴＳ等においても動的にＤＣオフセットの補正を行える送信器を提供することにある。
【００１０】
本発明の前記並びにその他の目的と新規な特徴は、本明細書の記述及び添付図面から明らかになるであろう。
【課題を解決するための手段】
【００１１】
本願において開示される発明のうち、代表的なものの概要を簡単に説明すれば、次の通りである。
【００１２】
本発明の代表的な実施の形態に関わる送信器は、それぞれ利得が異なる２以上の直交変調器と、２以上の直交変調器から送信に使用する１の直交変調器を選択する制御部とを有し、データ送信中に複数の送信スロットからなる送信フレームを連続的に送信する送信器であって、制御部は２以上の直交変調器を送信スロット単位で切り替えて送信に使用することを特徴とする。
【００１３】
この送信器は前記２以上の直交変調器の利得が等間隔に分布することを特徴としても良い。
【００１４】
この送信器は、更に２以上の可変増幅器を有し、２以上の可変増幅器はそれぞれ２以上の直交変調器の利得の分布間隔の２倍の可変幅を有し、制御部は送信スロット単位で２以上の可変増幅器を切り替え、２以上の可変増幅器の設定を更新することを特徴としても良い。
【００１５】
この送信器は、更にＤＣオフセット制御回路を有し、制御部はデータ送信に使用していない直交変調器のうち１をＤＣオフセットキャリブレーション対象に選択し、ダミーデータを該ＤＣオフセットキャリブレーション対象に入力し、ＤＣオフセットキャリブレーション対象の出力がＤＣオフセット制御回路に入力され、ＤＣオフセット制御回路がＤＣオフセットキャリブレーション対象のキャリブレーションを行うことを特徴としても良い。
【００１６】
この送信器は、送信スロット単位で直交変調器を切り替える際、直前に終了した送信スロットのＤＣオフセットキャリブレーション対象を制御部が送信用に選択することを特徴としても良い。
【００１７】
この送信器は、ＤＣオフセットキャリブレーション対象の選択、前記可変増幅器の設定を次の送信スロットの送信利得に基づき決定することを特徴としても良い。
【００１８】
本発明の代表的な実施の形態に関わる送信器は、それぞれ可変可能な利得が異なる２以上の可変直交変調器と、２以上の可変直交変調器から使用する１の可変直交変調器を選択する制御部とを有し、データ送信中に複数の送信スロットからなる送信フレームを連続して送信する送信器であって、制御部は２以上の可変直交変調器を送信スロット単位で切り替えて送信に使用することを特徴とする。
【００１９】
この送信器は、送信スロットの送信利得に基づき制御部は前記２以上の可変直交変調器から使用する１の可変直交変調器を選択することを特徴としても良い。
【００２０】
本発明は上記送信器を用いる携帯情報端末も射程に入れる。
【発明の効果】
【００２１】
本願において開示される発明のうち、代表的なものによって得られる効果を簡単に説明すれば以下の通りである。
【００２２】
本発明の代表的な実施の形態に関わる送信器を用いれば、２個以上の直交変調回路を交代で用いることで、送信もしくは送信フレームの中断をすることなくＤＣオフセットのキャリブレーション（補正）を行うことが可能となる。
【００２３】
また２個以上の直交変調回路を用い、直交変調器の利得をずらして配置することで、後段の可変増幅器の可変量を少なくすることが可能となる。
【発明を実施するための最良の形態】
【００２４】
次に図を用いて本発明の実施の形態を説明する。
【００２５】
（第１の実施の形態）
以下、図を用いて本発明の基本的な実施の形態について説明する。
【００２６】
図１は本発明に関わるキャリアリークキャリブレーション機構が送受信器のどこに位置するかを表すブロック図である。なお、この図は内部ブロックの説明を行うものであるため、信号をＩ成分、Ｑ成分に分けて説明することはしていない。
【００２７】
この送受信機は、アンテナ１０１、デュプレクサ１０２、発振器１０３、１０３Ｒ、ＢＰＦ１１１、ＬＮＡ１１２、ミキサ回路１１３、増幅器１１４、ＢＰＦ１１５、ＡＤコンバータ１１６、ＤＡコンバータ１２１、アッテネータ１２２、ＬＰＦ１２３、ＤＡＣ１２４、ミキサ回路１２５、増幅器１２６、ＳＡＷ１２７、ＨＰＡ１２８、ＤＣオフセット制御回路１２９、９０度位相器１３１、１３１Ｒを含んで構成される。
【００２８】
デュプレクサ１０２は送信器及び受信器がアンテナ１０１を共用するための分波器である。
【００２９】
発振器１０３、１０３Ｒは搬送波周波数からベースバンド周波数への変換、あるいはその逆を行うためのＬＯ（ローカル）発振器である。受信器側が１０３Ｒ、送信器側が１０３である。なお、この発振機１０３、１０３Ｒの出力する波長はＰＬＬ等により分周し終わったものを想定する。
【００３０】
ＢＰＦ（バンドパスフィルタ）１１１はアンテナ１０１経由で受信した受信波から一定のバンドの周波数を取り出すためのフィルタ回路である。ＬＮＡ１１２によって不要な周波数成分を増幅しないためにＬＮＡ１１２の前段に用いられる。
【００３１】
ＬＮＡ（低ノイズ増幅器）１１２は、ＢＰＦ１１１によって必要な周波数帯のみの信号となったものを増幅し、取り扱いを容易にするための増幅器である。
【００３２】
ミキサ回路１１３はＬＮＡ１１２で増幅された信号と、発振器１０３の出力を掛け合わせるミキサ回路である。受信時には搬送波周波数からベースバンド周波数にまで周波数を減じる必要があるため、ミキサ回路１１３は後段にローパスフィルタを含むものとする。
【００３３】
増幅器１１４はミキサ回路１１３で得られたベースバンド信号を増幅するための増幅器である。ＢＰＦ（バンドパスフィルタ）１１５は増幅器１１４で増幅された信号から不要な周波数成分を取り除くためのフィルタである。
【００３４】
ＡＤコンバータ１１６は得られたノイズのないベースバンド信号（アナログ信号）をデジタル信号に変換するためのアナログデジタル変換回路である。
【００３５】
ＤＡコンバータ１２１は送られてきたデジタルデータを伝送用アナログデータの元に変換するデジタルアナログ変換回路である。
【００３６】
アッテネータ１２２はＤＡコンバータ１２１で変換されたアナログデータ（ベースバンド周波数）を一度減衰させる減衰器である。
【００３７】
ＬＰＦ（ローパスフィルタ）１２３は、アッテネータで減衰されたアナログデータの高調波成分を除去するためのフィルタである。
【００３８】
ＤＡＣ１２４はＬＰＦ１２３通過後のアナログデータ、具体的にはＩ成分、Ｑ成分それぞれ、に対してオフセットＤＣバイアスを与えるデジタルアナログ変換回路である。この際ＤＣオフセット制御回路１２９の出力を元にオフセットＤＣバイアスの量が決定される。
【００３９】
ミキサ回路１２５ではベースバンド周波数から搬送波周波数にアップコンバートするためのミキサ回路である。実際にはＩ成分、Ｑ成分それぞれにアップコンバートし、アップコンバート後のＩ成分、Ｑ成分を合成する。しかし、Ｉ成分、Ｑ成分に分けて記載しないという図面の性質上、加算器などの回路はこの図では出てこない。
【００４０】
増幅器１２６は、ミキサ回路１２５の出力を増幅するための増幅器である。
【００４１】
ＳＡＷ１２７は増幅器１２６の出力のうちノイズをカットするためのＳＡＷフィルタである。
【００４２】
ＨＰＡ（ハイパワー増幅器）１２８は、ＳＡＷ１２７の出力をアンテナ１０１から無線区間に出力するために増幅するハイパワー増幅器である。
【００４３】
ＤＣオフセット制御回路１２９は、ミキサ回路１２５の出力を増幅しＩ成分及びＱ成分の直流成分の偏りを見るＤＣオフセット量検出用の回路である。ＤＣオフセット制御回路１２９にはリミッタ回路などが用いられることが多い。
【００４４】
９０度位相器１３１は、発振器１０３の出力を１／４波長ずらしたものを生成し、ずらしていないものをＩ成分またはＱ成分に、１／４波長ずらしたものを他方に供給する回路である。９０度位相器１３１Ｒが受信器側を、９０度位相器１３１が送信器側を担当する。
【００４５】
なお、アッテネータ１２２、ＬＰＦ１２３、ＤＡＣ１２４、ミキサ回路１２５までが直交変調器１３０である。上述の記載からも分かるとおり、直交変調器１３０の目的はベースバンド信号成分を搬送波周波数（ＲＦ帯）にアップコンバートすることである。
【００４６】
本発明は主に、ＤＡＣ１２４、ミキサ回路１２５、増幅器１２６の構成、及びこれらとＤＣオフセット制御回路１２９の取り扱いに関わる。
【００４７】
次に、従来のミキサ回路１２５周辺の回路の構成について説明する。
【００４８】
図２は従来の直交変調器１３０周辺の回路構成を示すブロック図である。この図ではＩ成分、Ｑ成分を分けて記載している。これに伴い、図１では表されなかったミキサ１２５−Ｉ、１２５−Ｑ、加算器１２５−Ａが記載されている。
【００４９】
ミキサ１２５−Ｉ、１２５−Ｑはミキサ回路１２５の要素である。９０度位相器１３１より供給される信号とＤＡＣ１２４―Ｉ、１２４―Ｑより供給されるベースバンド信号を掛け、搬送波周波数にアップコンバートするミキサである。
【００５０】
加算器１２５−Ａはミキサ回路１２５の要素の一つである。Ｉ成分、Ｑ成分のベースバンド信号をアップコンバートしたものを合成し、搬送可能な状態にする加算器である。
【００５１】
ベースバンド信号のＩ成分はアッテネータ１２２−Ｉ、ＬＰＦ１２３−Ｉ、ＤＡＣ１２４−Ｉ、ミキサ１２５−Ｉを経て、搬送波周波数のＩ成分の信号となる。一方、ベースバンド信号のＱ成分はアッテネータ１２２−Ｑ、ＬＰＦ１２３−Ｑ、ＤＡＣ１２４−Ｑ、ミキサ１２５−Ｑを経て、搬送波周波数のＱ成分の信号となる。これらＩ成分、Ｑ成分の信号を加算器１２５−Ａが加算して、ＲＦ信号となる。このＲＦ信号を出力の種類（たとえばＧＳＭ方式に基づく通信か、ＵＭＴＳ方式に基づく通信か）によって適宜増幅器１２６が増幅する。
【００５２】
理想的な条件下においては、Ｉ成分、Ｑ成分は複素関数的に直交することとなり、互いに影響を及ぼすことは無い。しかし、現実にはベースバンドを受けるアッテネータ１２２、ＬＰＦ１２３、ＤＡＣ１２４の素子のペアばらつきや、寄生のアンバランスによるローカルリークにより、直交変調器１３０の出力にはキャリアリークが発生する。
【００５３】
この対策のため、従来例においてもＤＣオフセット制御回路１２９及びＤＡＣ１２４−Ｉ、１２４−Ｑによりキャリブレーションを行う。しかし、従来方式ではいったんデータの送信を行いだすと途中でキャリブレーションすることができない。よって、送信開始から事後的に生じる温度変動、電源変動には追従できない。
【００５４】
図３は本実施の形態に関わる直交変調器周辺の回路構成を示すブロック図である。
【００５５】
本発明の基本的な実施の形態では、２系統の直交変調器１５１、１５２が存在すること、ベースバンド側切替スイッチ１５５、ＲＦ側切替スイッチ１５６が存在すること、制御部１５３がこれらの制御を行うこと、ＤＣオフセット制御回路１５４が制御部１５３の制御対象となることが従来例と異なる点である。
【００５６】
なお、図面の簡略化のため図２と同じものの項番は省略する。また直交変調器１５１、１５２の内部構成は直交変調器１３０と同じであるので内部要素の項番も省略する。
【００５７】
制御部１５３は上記の直交変調器１５１、１５２、ＤＣオフセット制御回路１５４、ベースバンド側切替スイッチ１５５、ＲＦ側切替スイッチ１５６の切り替えを制御する制御回路である。
【００５８】
直交変調器１５１、１５２は同じ構成要素からなる直交変調器である。本実施の形態では、直交変調器を２つ用意し、これを物理チャンネル（たとえばＵＭＴＳにおけるＤＰＣＨ）のタイムスロット毎に切り替える。この切り替えは制御部１５３が行う。
【００５９】
ＤＣオフセット制御回路１５４は図２のＤＣオフセット制御回路１２９同様にミキサ１２４の出力を増幅しＩ成分及びＱ成分の直流成分の偏りを見るＤＣオフセット量検出用の回路である。ここで、本実施の形態では、検出対象が直交変調器１５１、１５２と二つ存在する。ＤＣオフセット制御回路１５４は現在使用していない直交変調器のＤＣオフセット量を検出する。また、現在検出を行っている直交変調器に対してキャリブレーションを行う。
【００６０】
ベースバンド側切替スイッチ１５５は、ベースバンド信号をいずれの直行変調器１５１、１５２に入力するかを決めるスイッチである。すなわち動作させる直交変調器を切り替える為ベースバンド側切替スイッチ１５５の切り替えをする必要がある。
【００６１】
ＲＦ側切替スイッチ１５６は、ＲＦ信号をいずれの直行変調器から出力するかを決定するスイッチである。また、使用されていない直交変調器の出力がＤＣオフセット制御回路１５４に出力されるように切り替えられる。
【００６２】
なお、ＤＣオフセットのキャリブレーション時にキャリブレーション対象の直交変調器（＝その時点で送信に使ってない直交変調器）にオフセット量を調べるためのダミーのデータを入力する必要がある。Ｉ成分Ｑ成分のＬＯ発信のみ入力することでダミーデータとすることが考えられるが、別途回路を設けて他の方式を用いても良い。
【００６３】
次に本実施の形態の制御部１５３の切り替えタイミングについて説明する。ここではＵＭＴＳ送信器および該ＵＭＴＳ送信器を含む携帯電話機にこの実施の形態を適用した場合について述べる。
【００６４】
図４は従来のＵＭＴＳ送信器のキャリブレーションのタイミングについて説明する図である。
【００６５】
携帯電話機で通信を行う際には、送受信前にバンドを選択する。バンドが決まるとロックすべき周波数も限定できるので、送信用周波数をロックする。本実施の形態では発振器１０３の出力を固定することを意味する。そして周波数が確定した後、送信器の動作を行う。
【００６６】
図４の従来の方式では、周波数確定後、ＤＣオフセット制御回路１２９がＤＣオフセットの量を測定する。そして送信の前にキャリブレーション用の値を導出し、直交変調器１３０のＤＡＣ１２４−Ｉ、ＤＡＣ１２４−ＱにオフセットＤＣバイアスを設定していた。
【００６７】
しかし、ＤＣオフセットの量の測定には発振器１０３からのＬＯ発振を用いていたため、一度送受信が開始されると、オフセットＤＣバイアスの再設定ができないという問題があった。
【００６８】
一方、図５は本発明の第１の実施の形態に基づくＵＭＴＳ送信器のキャリブレーションのタイミングについて説明する図である。
【００６９】
本発明の方式では、制御部１５３はスロット毎に直交変調器１５１と直交変調器１５２を切り替える。ＵＭＴＳにおいて、１フレームは１０ｍｓｅｃと規定されている。また１フレーム中には１５スロット存在することから、制御部１５３は約６６７μｓｅｃ毎にベースバンド側切替スイッチ１５５、ＲＦ側切替スイッチ１５６を切り替えることとなる。
【００７０】
そして、ＤＣオフセット制御回路１５４はその時点で使用されていない直交変調器をキャリブレーション対象とする。そしてキャリブレーション対象のＤＣオフセットの量を測定し、キャリブレーション対象の直交変調器のＤＡＣ１２４―Ｉ、ＤＡＣ１２４―Ｑの設定を行う。
【００７１】
その後、送信スロットの切り替えが行われると、キャリブレーションが行われた直後の直交変調器を用いて送信が行われることとなる。
【００７２】
このように制御することで、１スロット周期（約６６７μｓｅｃ）でＤＣオフセットのキャリブレーションを行うことが可能となる。これにより、長時間通話時においても送信器の送信品質の低下を招くことは無い。
【００７３】
なお、本実施の形態では、直交変調器を２つ用意したが、これが３以上であっても問題なく実現可能である（ベースバンド側切替スイッチ１５５、ＲＦ側切替スイッチ１５６の回路構成、及びそれらに関する動作は複雑化する）。また、直交変調器の切り替えタイミングをスロット毎に切り替えたが、これをフレーム単位で切り替えても良い。
【００７４】
（第２の実施の形態）
次に本発明の第２の実施の形態について説明する。
【００７５】
この実施の形態よりＵＭＴＳ方式に特化した説明となる。しかし、各通信方式の実情に対応させれば簡単に他の方式に実装可能である。
【００７６】
ＵＭＴＳ方式においては、基地局に到達する送信電力が端末間で一定となるように送信出力制御を行うことを求めている。これは自端末の信号が他の端末からの信号に埋没しないよう、また、他端末の信号が自端末からの信号に埋没しないようにするためである。
【００７７】
当然のことながら、この仕様に従う限り、携帯端末は送信電力制御ができなければならない。３ＧＰＰ  ＴＳ（Ｔｅｃｈｎｉｃａｌ  Ｓｐｅｃｉｆｉｃａｔｉｏｎ）２５．１０１では最小―５０ｄＢ、最大２４ｄＢ、計７４ｄＢの送信電力の出力ゲイン（利得）調整が要求される。
【００７８】
図６は本実施の形態における動作の概念図である。
【００７９】
この図からも分かるとおり、本実施の形態では８つの可変直交変調器で上記７４ｄＢ幅をカバーする。このため、１０ｄＢの出力幅を持つ可変直交変調器８つを用意する。そして送信出力に応じて、用いる可変直交変調器を切り替えることを想定する。
【００８０】
図６では以下のような対応で出力ゲインをカバーする。
【００８１】
可変直交変調器１：−５０ｄＢから−４０ｄＢ
可変直交変調器２：−４０ｄＢから−３０ｄＢ
可変直交変調器３：−３０ｄＢから−２０ｄＢ
可変直交変調器４：−２０ｄＢから−１０ｄＢ
可変直交変調器５：−１０ｄＢから０ｄＢ
可変直交変調器６：０ｄＢから１０ｄＢ
可変直交変調器７：１０ｄＢから２０ｄＢ
可変直交変調器８：２０ｄＢ以上
ＵＭＴＳにおける送信電力制御ビットは現在の出力ゲインから相対的に何デシベル低下させる、あるいは増加させるという形態で、基地局から送信される。現在の出力と送信電力制御ビットで指定されたゲインの修正値などを計算した上で、何ｄＢの出力ゲインが必要かを送信器は決定する。
【００８２】
その後、上記可変直交変調器の出力ゲインの対応と想定する出力を対比し、使用する可変直交変調器を決定する。また、可変直交変調器の出力ゲインをどの程度にするかを決定する。
【００８３】
この際、図６の＃１の場合、同じ可変直交変調器（可変直交変調器４）を使い続けるため、ＤＣオフセットのキャリブレーションを実行することはできない。しかし、図６の＃２の場合、可変直交変調器４から可変直交変調器３に移行することで、異なる可変直交変調器を使うこととなる。この際、可変直交変調器を変更する直前に次に使う可変直交変調器のＤＣオフセットのキャリブレーションを実行する。
【００８４】
図７は本実施の形態に関わる直交変調器周辺の回路構成を示すブロック図である。上述の通り、本実施の形態では可変直交変調器を８つ用意する。これに対応して、ベースバンド側切替スイッチ１７１、ＲＦ側切替スイッチ１７２の切り替え対象も２個から８個に増加する。これに伴い制御部１５９及びＤＣオフセット制御回路１６０の動作も変化する。
【００８５】
可変直交変調器１ないし８は出力ゲインを１０ｄＢ可変にすることができる直交変調器である。第１の実施の形態の直交変調器１５１、１５２同様に、ＤＣオフセットのキャリブレーションが可能なような構成をとる。
【００８６】
ベースバンド側切替スイッチ１７１は、ベースバンド信号をいずれの可変直交変調器１ないし８に入力するかを決めるためのスイッチである。
【００８７】
ＲＦ側切替スイッチ１７２はベースバンド信号が入力された可変直交変調器の出力を増幅器１２６に送信するためのスイッチである。第１の実施の形態では、ＲＦ側切替スイッチ１５６は使用していない直交変調器の出力をＤＣオフセット制御回路１５４に出力するようにしていた。本実施の形態では、制御部１５９の決定に従い、ＤＣオフセットのキャリブレーション対象となる可変直交変調器の出力をＤＣオフセット制御回路１５４に入力するように切り替える点で第１の実施の形態のＲＦ側切替スイッチ１５６と相違する。
【００８８】
第１の実施の形態の制御部１５３と異なり、制御部１５９はベースバンド側切替スイッチ１７１、ＲＦ側切替スイッチ１７２及びＤＣオフセット制御回路１６０に対してＤＣオフセットのキャリブレーション対象である可変直交変調器を指示する。
【００８９】
第１の実施の形態のＤＣオフセット制御回路１５４と異なり、本実施の形態のＤＣオフセット制御回路１６０は送信先が８個に増える。それに伴い、制御部１５９から送信先の指示を受けることになる。
【００９０】
上述の通り、送信電力制御ビット（またはその内容を解釈した後の出力ゲインの増減値）は送信器外より制御部１５９に入力される。その後、制御部１５９はこれらを参考にして、次の送信スロットの出力ゲインを決定する。次の送信スロットの出力ゲイン決定後、可変直交変調器が現在使用しているものから変更される場合には、次に使用する可変直交変調器とＤＣオフセット制御回路１６０を接続した後にダミーデータを次に使用する可変直交変調器に入力する。次に使用する可変直交変調器からの出力はＤＣオフセット制御回路１６０に入力される。その後ＤＣオフセット制御回路１６０は制御部１５９から指示を受けた可変直交変調器、すなわちダミーデータの入力を受けた可変直交変調器の調整を行う。ＤＣオフセット制御回路１６０は可変直交変調器に入力されたダミーデータに基づく可変直交変調器の出力の歪みを確認する。その結果、どの程度の調整が該当する可変直交変調器に必要か分かる。ＤＣオフセット制御回路１６０はこの必要な調整量をキャリブレーションの対象である可変直交変調器のＤＡＣ１２４−Ｉ、１２４−Ｑ（ないしはそれに対応する調整箇所）に対して設定を行う。
【００９１】
送信スロットの切替時に制御部１５９は送信用の直交変調器としてＤＣオフセットキャリブレーションを実行した直交変調器に切り替える。これにより可変直交変調器を変更する度にＤＣオフセットキャリブレーションの実行が可能となる。
【００９２】
このように本実施例を提供すれば、ある程度の周期でＤＣオフセットキャリブレーションの実行が期待できる。これにより、本発明の目的である連続的に送信を行い続けるＵＭＴＳ等においても動的にＤＣオフセットの補正を行える送信器を提供することが可能となる。
【００９３】
（第３の実施の形態）
次に、第３の実施の形態について説明する。
【００９４】
図８は本実施の形態における動作の概念図である。また、図９は本実施の形態に関わる直交変調器周辺の回路構成を示すブロック図である。
【００９５】
第２の実施の形態では、可変直交変調器を８つ用意して、期待する出力ゲインに応じて可変直交変調器を使い分ける処理を行っていた。ある程度出力ゲインが変化する場合には、この方法でもある程度の周期でＤＣオフセットキャリブレーションの実行が期待できる。一方で第２の実施の形態では、１００％確実にＤＣオフセットキャリブレーションが行われることを保障するものでもない。
【００９６】
本実施の形態では、1スロット毎に確実にＤＣオフセットのキャリブレーションを行うことを目的とする。
【００９７】
すなわち、第２の実施の形態同様、出力ゲインの異なる直交変調器を８つ用意する。この際、この直交変調器は出力ゲインの調整は行わない出力固定のものとする。そして直交変調器を決めることで大まかなゲインを設定し、直交変調器の後段に位置する可変増幅器を用いて最終的な出力ゲインを決定するのが本実施の形態の一つの特徴である。
【００９８】
本実施の形態ではもう一つ特徴がある。すなわち、可変増幅器の出力ゲインの調整幅を直交変調器の出力ゲインの配置間隔の２倍の幅で変動可能とする。これにより、同一の出力ゲインでの送信が続く場合でも、直交変調器の切替ができる点が第２の特徴である。
【００９９】
この点図８を用いて説明する。
【０１００】
本図では、（１）から（２）に出力ゲインを変更することを想定する。第２の実施の形態では、この出力ゲインの変更によって可変直交変調器を切り替えられたときに限り、ＤＣオフセットのキャリブレーションが実行できた。
【０１０１】
これに対し、直交変調器と可変増幅器を組み合わせることで、図上では、
直交変調器１６６＋可変増幅器
直交変調器１６５＋可変増幅器
のいずれかの組み合わせで送信が可能である。これは可変増幅器の出力ゲインの調整幅が直交変調器の出力ゲインの配置間隔の２倍の幅で可変だからである。
【０１０２】
そこで、使用していないほうの直交変調器のＤＣオフセットキャリブレーションを行い、周期的に切り替えることで、略同一の出力ゲインで送信を続けた場合でも、継続的にＤＣオフセットキャリブレーションを行うことができるようにするものである。
【０１０３】
次に図９を用いて回路の構成を説明する。
【０１０４】
本実施の形態では、第２の実施の形態と変わり可変直交変調器１ないし８の代わりに直交変調器１６１ないし１６８を用いる。また、直交変調器に続く１つの増幅器１２６の代わり可変増幅器を２つ（１７３、１７４）用意する点が相違する。また制御部は制御対象が増えることに伴い制御部１６９となる。
【０１０５】
既述の通り、直交変調器１６１〜１６８は１０ｄＢ単位で出力ゲインが異なる直交変調器である。この８つの直交変調器のうち実際に送信に用いられるのは第２の実施の形態の可変直交変調器同様同時に1つである。また、ＤＣオフセット制御回路１７５による制御対象となるのは送信に用いているもの以外の７つの直交変調器のうちの１つだけである。本図では直交変調器１６１〜１６８のゲインはそれぞれ以下の通りである。
【０１０６】
直交変調器１６１：    ０ｄＢ
直交変調器１６２：−１０ｄＢ
直交変調器１６３：−２０ｄＢ
直交変調器１６４：−３０ｄＢ
直交変調器１６５：−４０ｄＢ
直交変調器１６６：−５０ｄＢ
直交変調器１６７：−６０ｄＢ
直交変調器１６８：−７０ｄＢ
なお、基本的な構成は第１の実施の形態と同じであるため、内部構成に付いての説明は省略する。
【０１０７】
可変増幅器１７３、１７４は第１の実施の形態の増幅器１２６に相当する。直交変調器と異なり、可変増幅器１７３、１７４は同じ仕様のものであるが、制御部１６９の指示によって、増幅率の変更及び使用する可変増幅器の切替が可能な周辺回路を有しているものとする。この可変増幅器１７３、１７４の可変幅は直交変調器１６１〜１６８の出力ゲインの間隔の２倍である２４ｄＢ〜４ｄＢまでの２０ｄＢであるとする。
【０１０８】
制御部１６９は第２の実施の形態に加え、可変増幅器１７３、１７４の切替および増幅率の設定を行う。
【０１０９】
次に本実施の形態の制御について図１０を用いて説明する。図１０は直交変調器と可変増幅器の具体的な使い方を示す図である。
【０１１０】
本実施の形態でも、携帯電話機はパワーオン、バンド選択、周波数のロックを試みる周波数ロック期間の後に、送信前ＤＣオフセットキャリブレーションを実行し、音声やデータを送信するフレームの送信が開始される。以下本図において下向き矢印は対象となる直交変調器のキャリブレーションの実行を意味する。
【０１１１】
図１０では、最初の１フレーム目の直交変調器と可変増幅器の動作のみ説明しているが、２フレーム目以降も同様の動作を行う。
【０１１２】
（フレーム１スロット０前の動作）
最初にフレーム１スロット０で期待される出力ゲインを−４８ｄＢと想定する。これに向けて、送信開始前（＝フレーム１スロット０の前）に制御部１６９は直交変調器１６８（−７０ｄＢ）をフレーム１スロット０の動作対象とし、合わせて、可変増幅器１７３を＋２２ｄＢに設定している。
【０１１３】
また、フレーム１スロット０での動作に先んじて、上記設定でのＤＣオフセットキャリブレーションがスロット０の送信前に行われる。
【０１１４】
（フレーム１スロット０での動作）
上述の設定条件で送信器はフレーム１スロット０の送信を実行する。
【０１１５】
送信期間中、携帯電話機は図示しない基地局から送信電力制御Ｂｉｔにより送信出力のゲインが導出される。送信電力制御Ｂｉｔでは相対的に何ｄＢ上げる（下げる）という指示がされる。受信側で送信電力制御Ｂｉｔの解析を終えた後、制御部１６９はフレーム１スロット１で期待される出力ゲインを決定する。
【０１１６】
フレーム１スロット０中に制御部１６９は要求された調整後のフレーム１スロット１における送信出力ゲインの期待値を決定する。この決定された値に基づき、制御部１６９は次スロット（＝フレーム１スロット１）に動かす直交変調器を決定する。この際、現在使用している直交変調器はＤＣオフセットの調整ができないためフレーム１スロット１での使用対象とはならない。
【０１１７】
図１０ではフレーム１スロット１において−４７ｄＢの出力ゲインを想定する。これに基づきフレーム１スロット０期間中に、制御部１６９はフレーム１スロット１でどの直交変調器を使用するかを決定する。
【０１１８】
−４７ｄＢの出力ゲインを実現させるためには、直交変調器１６６（−５０ｄＢ）、直交変調器１６７（−６０ｄＢ）、直交変調器１６８（−７０ｄＢ）の使用が考えられる。このうち、直交変調器１６８はフレーム１スロット０で使用されているためフレーム１スロット１での使用からは除外される。また、後段の可変増幅器１７４では＋２ｄＢを取れないため直交変調器１６６は除外される。したがって、制御部１６９は直交変調器１６７をフレーム１スロット１で使用することとする。以降、可変増幅器を変化することで希望する出力ゲインが取れない直交変調器については原則として選択の対象として説明しないが、内部処理的に制御部１６９が選択対象にあげ、その後底から除外するようにしていても良い。
【０１１９】
これに伴い、制御部１６９は可変増幅器１７４を＋１３ｄＢに設定する。
【０１２０】
これらの選択・設定終了後、制御部１６９はＤＣオフセット制御回路１７５に直交変調器１６７のＤＣオフセットキャリブレーションを実行させる。これは、ダミーデータの入力によって直交変調器１６７の出力にどの程度ＤＣオフセットが発生したかを見ればよい。具体的には、ダミーデータの入力を受けた直交変調器１６７の出力をＤＣオフセット制御回路１７５に入力することで行われる。この入力結果に従い、ＤＣオフセット制御回路１７５は直交変調器１６７のＤＡＣ１２４−Ｉ、１２４−Ｑを調整することで送信動作中でもＤＣオフセットキャリブレーションを実行する。
【０１２１】
フレーム１スロット０からフレーム１スロット１に移るタイミングで、制御部１６９は使用する直交変調器を直交変調器１６７に、可変増幅器を可変増幅器１７４に切り替えるべく、ベースバンド側切替スイッチ１７１、ＲＦ側切替スイッチ１７２を制御する。
【０１２２】
（フレーム１スロット１での動作）
ベースバンド側切替スイッチ１７１、ＲＦ側切替スイッチ１７２の切替の後、制御部１６９はフレーム１スロット２における出力ゲインを導出する。図１０では、フレーム１スロット２における出力ゲインは−４６ｄＢであると想定している。
【０１２３】
フレーム１スロット１同様、フレーム１スロット２では直交変調器１６６（−５０ｄＢ）、直交変調器１６７（−６０ｄＢ）、直交変調器１６８（−７０ｄＢ）が考えられる。しかし、フレーム１スロット１において直交変調器１６７は使用中であるためフレーム１スロット２での使用の対象として除外される。
【０１２４】
フレーム１スロット１における使用対象となる直交変調器の選定と異なり、フレーム１スロット２（−４６ｄＢ）では直交変調器１６６（−５０ｄＢ）及び直交変調器１６８（−７０ｄＢ）のいずれでも実現することができる。直交変調器１６６を使用する際には可変増幅器１７３を＋４ｄＢに、直交変調器１６８を使用する際には可変増幅器１７３を＋２４ｄＢに設定すればよいためである。いずれを選択するかは制御部１６９の設計事項であるが、ここではフレーム１スロット２において直交変調器１６６を使用することを想定する。なお、直交変調器のゲインが高いほうが信号／ノイズ比的に有利であることはここで付記する。
【０１２５】
使用する直交変調器が決まれば、フレーム１スロット２で使用する可変増幅器１７３に設定する値は＋４ｄＢになる。制御部１６９は可変増幅器１７３に対してこの設定を行う。この設定後、制御部１６９はＤＣオフセット制御回路１７５に直交変調器１６６に対してのＤＣオフセットキャリブレーションを実行させる。ＤＣオフセット制御回路１７５は直交変調器１６６のＤＡＣ１２４−Ｉ、１２４−Ｑに対して調整を行う。
【０１２６】
フレーム１スロット１からフレーム１スロット２に移るタイミングで、制御部１６９は使用する直交変調器を直交変調器１６６に、可変増幅器を可変増幅器１７３に切り替えるべく、ベースバンド側切替スイッチ１７１、ＲＦ側切替スイッチ１７２を制御する。
【０１２７】
（フレーム１スロット２での動作）
フレーム１スロット２では直交変調器１６６と可変増幅器１７３の組み合わせでデータを送信する。この送信期間中に、これまで同様、制御部１６９はフレーム１スロット３で使用する直交変調器及び可変増幅器１７４の設定を行う。
【０１２８】
送信電力Ｂｉｔ解析結果が送られた後、制御部１６９は送信器の出力ゲインを決定する。図１０ではフレーム１スロット３での想定される出力ゲインは−４６ｄＢであり、フレーム１スロット２同様である。ただし、フレーム１スロット２で使用している直交変調器１６６でＤＣオフセットキャリブレーションは行えないため、別の直交変調器を選択する必要がある。これまで述べてきたように、直交変調器のゲインと可変増幅器のゲインの組み合わせで想定される出力ゲインが実現可能かで決定される。この図では、制御部１６９はフレーム１スロット３について直交変調器１６７を選択している。
【０１２９】
使用する直交変調器が決まれば、自ずとフレーム１スロット３で使用する可変増幅器１７４のゲインも決定される。ここでは可変増幅器１７４のゲインは＋１４ｄＢと決定される。
【０１３０】
直交変調器及び可変増幅器１７４の設定の決定後、制御部１６９はＤＣオフセット制御回路１７５に直交変調器１６７のＤＣオフセットのキャリブレーションを実行させる。ＤＣオフセット制御回路１７５により直交変調器１６７のＤＡＣ１２４−Ｉ、１２４−Ｑの調整がなされ、フレーム１スロット３の送信の実行に備える。
【０１３１】
フレーム１スロット２からフレーム１スロット３に移るタイミングで、制御部１６９は使用する直交変調器を直交変調器１６７に、可変増幅器を可変増幅器１７４に切り替えるべく、ベースバンド側切替スイッチ１７１、ＲＦ側切替スイッチ１７２を制御する。
【０１３２】
（フレーム１スロット３での動作）
フレーム１スロット３では直交変調器１６７と可変増幅器１７４の組み合わせでデータを送信する。この送信期間中に、制御部１６９はフレーム１スロット４で使用する直交変調器及び可変増幅器１７３の設定を行う。
【０１３３】
送信電力Ｂｉｔ解析結果が送られた後、制御部１６９は送信器の出力ゲインを決定する。図１０ではフレーム１スロット４での想定される送信器の出力ゲインは−４５ｄＢである。この−４５ｄＢを実現するには直交変調器１６７（−６０ｄＢ）、直交変調器１６６（−５０ｄＢ）、図１０では図示しない直交変調器１６５（−４０ｄＢ）が考えられる。このうち、現在使用中でＤＣオフセットのキャリブレーションができない直交変調器１６７を除外すると、直交変調器１６６と直交変調器１６５の使用が考慮の対象となる。ここでは制御部１６９は直交変調器１６６（−５０ｄＢ）を選択したと考える。
【０１３４】
直交変調器が決まれば、可変増幅器１７３の設定内容も自ずと決まる。制御部１６９は可変増幅器１７３に＋５ｄＢの設定を行う。
【０１３５】
この設定の後、制御部１６９は直交変調器１６６のＤＣオフセットのキャリブレーションを実行する。キャリブレーションの実行後、直交変調器１６６のＤＡＣ１２４−Ｉ、１２４−Ｑの調整がなされ、フレーム１スロット３の送信の実行に備える。
【０１３６】
フレーム１スロット３からフレーム１スロット４に移るタイミングで、制御部１６９は使用する直交変調器を直交変調器１６６に、可変増幅器を可変増幅器１７３に切り替えるべく、ベースバンド側切替スイッチ１７１、ＲＦ側切替スイッチ１７２を制御する。
【０１３７】
（フレーム１スロット４での動作）
フレーム１スロット４では直交変調器１６６と可変増幅器１７３の組み合わせでデータを送信する。制御部１６９はフレーム１スロット５で使用する直交変調器及び可変増幅器１７４の設定を行う。
【０１３８】
送信電力Ｂｉｔ解析結果が送られた後、制御部１６９は送信器の出力ゲインを決定する。図１０ではフレーム１スロット５での想定される出力ゲインは、フレーム１スロット４同様−４５ｄＢである。この出力ゲインの条件では、既述の通り、直交変調器１６７（−６０ｄＢ）、直交変調器１６６（−５０ｄＢ）、直交変調器１６５（−４０ｄＢ）が考えられる。使用中の直交変調器１６６を除外すると、フレーム１スロット５では直交変調器１６７（−６０ｄＢ）、直交変調器１６５（−４０ｄＢ）の使用が考えられる。ここでは制御部１６９は直交変調器１６７を選択する。
【０１３９】
直交変調器が決まれば、フレーム１スロット５で用いる可変増幅器１７４の設定が決まる。制御部１６９は可変増幅器１７４の増幅率を＋１５ｄＢに設定する。
【０１４０】
その後、制御部１６９はＤＣオフセット制御回路１７５に直交変調器１６７のＤＣオフセットのキャリブレーションを実行させ、ＤＣオフセット制御回路１７５は直交変調器１６７のＤＡＣ１２４−Ｉ、１２４−Ｑの調整をする。これにより、フレーム１スロット５の送信の実行に備える。
【０１４１】
フレーム１スロット４からフレーム１スロット５に移るタイミングで、制御部１６９は使用する直交変調器を直交変調器１６７に、可変増幅器を可変増幅器１７４に切り替えるべく、ベースバンド側切替スイッチ１７１、ＲＦ側切替スイッチ１７２を制御する。
【０１４２】
（フレーム１スロット５での動作）
フレーム１スロット５では直交変調器１６７と可変増幅器１７４の組み合わせでデータを送信する。この間、制御部１６９はフレーム１スロット６で使用する直交変調器及び可変増幅器１７３の設定を行う。まず、制御部１６９は出力ゲインを決定する。図１０ではフレーム１スロット６での出力ゲインは−４４ｄＢと想定する。この条件では、直交変調器１６７（−６０ｄＢ）、直交変調器１６６（−５０ｄＢ）、直交変調器１６５（−４０ｄＢ）が考えられる。
【０１４３】
直交変調器１６７は使用中であるため、制御部１６９は直交変調器１６６、直交変調器１６５のいずれかから選択する。図では、直交変調器１６６を選択している。
【０１４４】
直交変調器１６６の出力ゲインは−５０ｄＢである。したがって、制御部１６９は可変増幅器１７３の増幅率を＋６ｄＢに設定する。
【０１４５】
その後、制御部１６９はＤＣオフセット制御回路１７５に直交変調器１６６のＤＣオフセットのキャリブレーションを実行させ、ＤＣオフセット制御回路１７５により直交変調器１６６のＤＡＣ１２４−Ｉ、１２４−Ｑの調整がなされる。
【０１４６】
フレーム１スロット５からフレーム１スロット６に移るタイミングで、制御部１６９は使用する直交変調器を直交変調器１６６に、可変増幅器を可変増幅器１７３に切り替えるべく、ベースバンド側切替スイッチ１７１、ＲＦ側切替スイッチ１７２を制御する。
【０１４７】
（フレーム１スロット６での動作）
フレーム１スロット６では送信器は直交変調器１６６と可変増幅器１７３の組み合わせでデータを送信する。この間、制御部１６９はフレーム１スロット７で使用する直交変調器の決定及び可変増幅器１７４の設定を行う。まず、制御部１６９は出力ゲインを決定する。図１０ではフレーム１スロット７での出力ゲインは−４２ｄＢと想定する。この条件では、直交変調器１６７（−６０ｄＢ）＋可変増幅器１７４（＋１８ｄＢ）、直交変調器１６６（−５０ｄＢ）＋可変増幅器１７４（＋８ｄＢ）が考えられる。フレーム１スロット６では直交変調器１６６が使用されているため、制御部１６９は直交変調器１６７を選択し、可変増幅器１７４の増幅率を＋１８ｄＢとする。
【０１４８】
その後、制御部１６９はＤＣオフセット制御回路１７５に直交変調器１６７のＤＣオフセットのキャリブレーションを実行させる。ＤＣオフセット制御回路１７５は直交変調器１６７のＤＡＣ１２４−Ｉ、１２４−Ｑの調整を行う。
【０１４９】
フレーム１スロット６からフレーム１スロット７に移るタイミングで、制御部１６９は使用する直交変調器を直交変調器１６７に、可変増幅器を可変増幅器１７４に切り替えるべく、ベースバンド側切替スイッチ１７１、ＲＦ側切替スイッチ１７２を制御する。
【０１５０】
（フレーム１スロット７での動作）
フレーム１スロット７では送信器は直交変調器１６７と可変増幅器１７４の組み合わせでデータを送信する。この間、制御部１６９はフレーム１スロット８で使用する直交変調器の決定及び可変増幅器１７３の設定を行う。
【０１５１】
まず、制御部１６９は出力ゲインを決定する。図１０ではフレーム１スロット８での出力ゲインは−４５ｄＢと想定する。この条件では、直交変調器１６７（−６０ｄＢ）＋可変増幅器１７３（＋１５ｄＢ）、直交変調器１６６（−５０ｄＢ）＋可変増幅器１７３（＋５ｄＢ）が考えられる。フレーム１スロット７では直交変調器１６７が使用されているため、制御部１６９は直交変調器１６６を選択し、可変増幅器１７３の増幅率を＋５ｄＢとする。
【０１５２】
その後、制御部１６９はＤＣオフセット制御回路１７５に直交変調器１６６のＤＣオフセットのキャリブレーションを実行させる。ＤＣオフセット制御回路１７５は直交変調器１６６のＤＡＣ１２４−Ｉ、１２４−Ｑの調整を行う。
【０１５３】
フレーム１スロット７からフレーム１スロット８に移るタイミングで、制御部１６９は使用する直交変調器を直交変調器１６６に、可変増幅器を可変増幅器１７３に切り替えるべく、ベースバンド側切替スイッチ１７１、ＲＦ側切替スイッチ１７２を制御する。
【０１５４】
（フレーム１スロット８での動作）
フレーム１スロット８では送信器は直交変調器１６６と可変増幅器１７３の組み合わせでデータを送信する。この間、制御部１６９はフレーム１スロット９で使用する直交変調器の決定及び可変増幅器１７４の設定を行う。
【０１５５】
制御部１６９は出力ゲインを決定する。図１０ではフレーム１スロット９での出力ゲインは−４７ｄＢと想定する。この条件では、直交変調器１６７（−６０ｄＢ）＋可変増幅器１７４（１３ｄＢ）、直交変調器１６８（−７０ｄＢ）＋可変増幅器１７４（２３ｄＢ）が考えられる。フレーム１スロット８では直交変調器１６６が使用されているため、制御部１６９は直交変調器１６７及び直交変調器１６８いずれも選択可能である。本図上では制御部１６９は直交変調器１６７を選択している。これに伴い可変増幅器１７４も１３ｄＢの設定となる。
【０１５６】
その後、ＤＣオフセット制御回路１７５による直交変調器１６７のＤＣオフセットキャリブレーションが行われ、フレーム１スロット８からフレーム１スロット９に移るタイミングで、ベースバンド側切替スイッチ１７１、ＲＦ側切替スイッチ１７２が切り替えられる。
【０１５７】
（フレーム１スロット９での動作）
フレーム１スロット９では送信器は直交変調器１６７と可変増幅器１７４の組み合わせでデータを送信する。この間、制御部１６９はフレーム１スロット１０で使用する直交変調器の決定及び可変増幅器１７３の設定を行う。
【０１５８】
制御部１６９は出力ゲインを決定する。図１０ではフレーム１スロット１０での出力ゲインは−４７ｄＢのまま維持されることを想定する。条件はスロット９と同じであり、かつ直交変調器１６７は使用中であるので、制御部１６９は直交変調器１６８を選択する。これに伴い可変増幅器１７３も２３ｄＢの設定となる。
【０１５９】
その後、ＤＣオフセット制御回路１７５による直交変調器１６８のＤＣオフセットキャリブレーションが行われ、フレーム１スロット９からフレーム１スロット１０に移るタイミングで、ベースバンド側切替スイッチ１７１、ＲＦ側切替スイッチ１７２が切り替えられる。
【０１６０】
（フレーム１スロット１０での動作）
フレーム１スロット１０では送信器は直交変調器１６８と可変増幅器１７３の組み合わせでデータを送信する。この間、制御部１６９はフレーム１スロット１１で使用する直交変調器の決定及び可変増幅器１７４の設定を行う。
【０１６１】
制御部１６９は送信器の出力ゲインを決定する。図１０ではフレーム１スロット１１での出力ゲインは−４７ｄＢのまま維持されることを想定する。条件はスロット９と同じであり、かつ直交変調器１６８は使用中であるので、制御部１６９は直交変調器１６７を選択する。可変増幅器１７４も変更はされず１３ｄＢの設定のままとなる。
【０１６２】
その後、ＤＣオフセット制御回路１７５による直交変調器１６７のＤＣオフセットキャリブレーションが行われ、フレーム１スロット１０からフレーム１スロット１１に移るタイミングで、ベースバンド側切替スイッチ１７１、ＲＦ側切替スイッチ１７２が切り替えられる。
【０１６３】
（フレーム１スロット１１での動作）
フレーム１スロット１１では送信器は直交変調器１６７と可変増幅器１７４の組み合わせでデータを送信する。制御部１６９はフレーム１スロット１２で使用する直交変調器の決定及び可変増幅器１７３の設定を行う。
【０１６４】
図１０でフレーム１スロット１２での出力ゲインは−４９ｄＢと変化する。この条件を満たすためには、直交変調器１６８（−７０ｄＢ）＋可変増幅器１７４（２１ｄＢ）、直交変調器１６７（−６０ｄＢ）＋可変増幅器１７４（１１ｄＢ）が考えられる。使用中の直交変調器１６７は慮外となるため、制御部１６９は直交変調器１６８を選択する。これに伴い制御部１６９は可変増幅器１７４の増幅率を２１ｄＢに設定する。
【０１６５】
その後、ＤＣオフセット制御回路１７５による直交変調器１６８のＤＣオフセットキャリブレーションが行われ、フレーム１スロット１１からフレーム１スロット１２に移るタイミングで、ベースバンド側切替スイッチ１７１、ＲＦ側切替スイッチ１７２が切り替えられる。
【０１６６】
（フレーム１スロット１２での動作）
フレーム１スロット１２では送信器は直交変調器１６８と可変増幅器１７３の組み合わせでデータを送信する。制御部１６９はフレーム１スロット１３で使用する直交変調器の決定及び可変増幅器１７４の設定を行う。
【０１６７】
図１０でフレーム１スロット１３での出力ゲインは−５０ｄＢと変化する。この条件を満たす直交変調器と可変増幅器の組み合わせには、直交変調器１６８（−７０ｄＢ）＋可変増幅器１７４（＋２０ｄＢ）、直交変調器１６７（−６０ｄＢ）＋可変増幅器１７４（＋１０ｄＢ）が考えられる。
【０１６８】
使用中の直交変調器１６８は慮外となるため、制御部１６９は直交変調器１６７を選択する。これに伴い制御部１６９は可変増幅器１７４の増幅率を＋１０ｄＢに設定する。
【０１６９】
その後、ＤＣオフセット制御回路１７５による直交変調器１６７のＤＣオフセットキャリブレーションが行われ、フレーム１スロット１１からフレーム１スロット１２に移るタイミングで、ベースバンド側切替スイッチ１７１、ＲＦ側切替スイッチ１７２が切り替えられる。
【０１７０】
（フレーム１スロット１３での動作）
フレーム１スロット１３では送信器は直交変調器１６７と可変増幅器１７４の組み合わせでデータを送信する。制御部１６９はフレーム１スロット１４で使用する直交変調器の決定及び可変増幅器１７３の設定を行う。
【０１７１】
図１０でフレーム１スロット１４での送信器の出力ゲインは−５０ｄＢのまま維持される。既述の通り、この条件の具備には直交変調器１６８（−７０ｄＢ）＋可変増幅器１７４（＋２０ｄＢ）、直交変調器１６７（−６０ｄＢ）＋可変増幅器１７４（＋１０ｄＢ）のいずれかが考えられる。ただし、使用中の直交変調器１６７は慮外となるため、制御部１６９は直交変調器１６８を選択する。これに伴い制御部１６９は可変増幅器１７３の増幅率を＋２０ｄＢに設定する。
【０１７２】
その後、ＤＣオフセット制御回路１７５による直交変調器１６８のＤＣオフセットキャリブレーションが行われ、フレーム１スロット１３からフレーム１スロット１４に移るタイミングで、ベースバンド側切替スイッチ１７１、ＲＦ側切替スイッチ１７２が切り替えられる。
【０１７３】
（フレーム１スロット１４での動作）
フレーム１スロット１４では送信器は直交変調器１６８と可変増幅器１７３の組み合わせでデータを送信する。制御部１６９はフレーム２スロット０で使用する直交変調器の決定及び可変増幅器１７４の設定を行う。
【０１７４】
図１０でフレーム２スロット０での送信器の出力ゲインは−５０ｄＢのまま維持される。使用中の直交変調器は考慮外となるため、制御部１６９は直交変調器１６７を選択し、可変増幅器１７４の増幅率を１０ｄＢに設定する。
【０１７５】
その後、ＤＣオフセット制御回路１７５による直交変調器１６７のＤＣオフセットキャリブレーションが行われ、フレーム１スロット１４からフレーム２スロット０に移るタイミングで、ベースバンド側切替スイッチ１７１、ＲＦ側切替スイッチ１７２が切り替えられる。
【０１７６】
以上のように、１つのスロットの送信時に使用している直交変調器以外に別の直交変調器を１又は２用意して、スロットの切替前にＤＣオフセットキャリブレーションを実行することで、スロット切替時には最新の状況で補正した直交変調器を使用することができる。これにより本発明の目的である、連続的に送信を行い続けるＵＭＴＳ等においても動的にＤＣオフセットの補正を行える送信器を提供することが可能となる。
【０１７７】
なお、上記第３の実施の形態では、直交変調器を可変とはしていない。しかし、可変直交変調器を用いて、更に直交変調器の選択の幅を広げることも可能である。この際、可変直交変調器の出力ゲインの可変量と可変増幅器の出力ゲインの可変量をどのように決めるかは設計事項である。
【０１７８】
また、上記説明では可変増幅器が２つ存在することとして説明したが、可変増幅器が３以上存在しても良い。
【０１７９】
以上、本発明者によってなされた発明を実施の形態に基づき具体的に説明したが、本発明は前記の実施の形態に限定されるものではなく、その要旨を逸脱しない範囲で種々変更が可能であることは言うまでもない。
【産業上の利用可能性】
【０１８０】
本発明は、ＵＭＴＳの送信器（送受信器も含む）のキャリアリークキャリブレーション機構での適用を想定している。しかし、１つのチャンネルを切れ目無く連続的に送信する通信形態であれば、ＵＭＴＳ同様に適用可能である。
【０１８１】
また、これらの送信器を含む携帯情報端末（含む携帯電話機）にも適用される。
【図面の簡単な説明】
【０１８２】
【図１】キャリアリークキャリブレーション機構が送受信器のどこに位置するかを表すブロック図である。
【図２】従来の直交変調器周辺の回路構成を示すブロック図である。
【図３】本発明の第１の実施の形態に関わる直交変調器周辺の回路構成を示すブロック図である。
【図４】従来のＵＭＴＳ送信器のキャリブレーションのタイミングについて説明する図である。
【図５】本発明の第１の実施の形態に基づくＵＭＴＳ送信器のキャリブレーションのタイミングについて説明する図である。
【図６】本発明の第２の実施の形態における動作の概念図である。
【図７】本発明の第２の実施の形態に関わる直交変調器周辺の回路構成を示すブロック図である。
【図８】本発明の第３の実施の形態における動作の概念図である。
【図９】本発明の第３の実施の形態に関わる直交変調器周辺の回路構成を示すブロック図である。
【図１０】本発明の第３の実施の形態における直交変調器と可変増幅器の使い方を示す図である。
【符号の説明】
【０１８３】
１、２、３、４、５、６、７、８…可変直交変調器、
１０１…アンテナ、１０２…デュプレクサ、１０３…発振器、１１１…ＢＰＦ、
１１２…ＬＮＡ、１１３…ミキサ回路、１１４…増幅器、１１５…ＢＰＦ、
１１６…ＡＤコンバータ、１２１…ＤＡコンバータ、１２２…アッテネータ、
１２３…ＬＰＦ、１２４、１２４-Ｉ、１２４-Ｑ…ＤＡＣ、
１２５…ミキサ回路、１２６…増幅器、１２７…ＳＡＷ、１２８…ＨＰＡ、
１２９…ＤＣオフセット制御回路、１３０…直交変調器、
１３１…９０度位相器、１５１、１５２…直交変調器、１５３…制御部、
１５４…ＤＣオフセット制御回路、１５５…ベースバンド側切替スイッチ、
１５６…ＲＦ側切替スイッチ、１５９…制御部、
１６１、１６２、１６３、１６４、１６５、１６６、１６７、１６８…直交変調器、
１６９…制御部、
１７１…ベースバンド側切替スイッチ、１７２…ＲＦ側切替スイッチ、
１７３、１７４…可変増幅器、１７５…ＤＣオフセット制御回路。
【図１】
2010103791.tif 000003
【図２】
2010103791.tif 000004
【図３】
2010103791.tif 000005
【図４】
2010103791.tif 000006
【図５】
2010103791.tif 000007
【図６】
2010103791.tif 000008
【図７】
2010103791.tif 000009
【図８】
2010103791.tif 000010
【図９】
2010103791.tif 000011
【図１０】
2010103791.tif 000012